(57)【要約】【課題】ＬＣＤパネルの不鮮明化現象を除去して、画像鮮明度を増大させて、このことにより携帯装置の電力消費を減らして、使用寿命を延ばすことができる、表示パネル駆動および走査方法ならびにシステムを提供する。【解決手段】表示パネル駆動および走査システムは、１フレーム期間を第１〜３の期間に分けるタイミング・コントローラを含む。第１の期間において、画像処理装置は現行フレームおよび先行フレームに基づいて現行フレームのためのオーバードライブ信号を算出する。第２の期間において、画像処理装置は現行フレームを出力し、かつソース・ドライバーは現行フレームに基づいて液晶表示パネルの画素のコンデンサを充電する。第３の期間において、タイミング・コントローラはバックライト駆動回路を駆動して、現行フレームを表示するために液晶表示パネルのバックライト源をオンにする。【選択図】図３
2013250553.tif 000002
【特許請求の範囲】
【請求項１】
画像を表示するための液晶表示（ＬＣＤ）パネルの画素を駆動するために前記ＬＣＤパネルにおいて使われる表示パネル駆動および走査システムにおいて、前記ＬＣＤパネルは、列をなして配置される複数の走査線と、前記走査線を横切って列に配置される複数のソース線と、前記走査線と前記ソース線の交差点に各々配置される複数の画素とを備えている表示パネル駆動および走査システムであり、
走査駆動信号を前記ＬＣＤパネルに供給するために、前記走査線によって前記ＬＣＤパネルに接続する走査ドライバーと、
画像表示信号を前記ＬＣＤパネルに供給するために、前記ソース線によって前記ＬＣＤパネルに接続するソース・ドライバーと、
先行フレームおよび現行フレームに基づいて前記現行フレームのためのオーバードライブ信号を算出するように、前記先行フレームを保存して、前記現行フレームを受信するために、前記ソース・ドライバーに接続している画像処理装置と、
前記先行フレームを前記ＬＣＤパネルに表示するために、前記走査ドライバー、前記ソース・ドライバー、および前記画像処理装置を制御するためのタイミング・コントローラと、
を備える表示パネル駆動および走査システムであって、
前記画像処理装置は、１フレーム期間に前記複数の画素を充電するために前記オーバードライブ信号および前記現行フレームをそれぞれ出力し、かつ前記画像処理装置が、前記複数の画素を充電するために第１の期間に前記オーバードライブ信号を出力し、かつ前記複数の画素を充電するために第２の期間に前記現行フレームを出力するように、前記フレーム期間は前記第１の期間、前記第２の期間、および第３の期間に分けられる表示パネル駆動および走査システム。
【請求項２】
前記第３の期間が、前記フレーム期間から前記第１の期間および前記第２の期間を減算することにより決定される長さを有する請求項１に記載の表示パネル駆動および走査システム。
【請求項３】
前記タイミング・コントローラによって前記ＬＣＤパネルのバックライト源を駆動するために、前記タイミング・コントローラおよび前記ＬＣＤパネルに接続するバックライト駆動回路を更に備える請求項２に記載の表示パネル駆動および走査システム。
【請求項４】
前記第３の期間において、前記タイミング・コントローラが前記バックライト駆動回路を制御して、前記現行フレームを表示するために前記ＬＣＤパネルの前記バックライト源を駆動する請求項３に記載の表示パネル駆動および走査システム。
【請求項５】
前記現行フレームを一時的に格納するために、前記画像処理装置に接続する第１の記憶装置を更に備える請求項１に記載の表示パネル駆動および走査システム。
【請求項６】
前記画像処理装置が、
先行フレーム期間において前記現行フレームを受信して、それを前記先行フレームとして一時的に格納するために、前記第１の記憶装置に接続する第２の記憶装置と、
前記第１の記憶装置に格納される前記現行フレームおよび前記第２の記憶装置に格納される前記先行フレームに基づいて前記現行フレームのための前記オーバードライブ信号を算出するために、前記第１の記憶装置および前記第２の記憶装置に接続するオーバードライブ信号計算器と、
前記オーバードライブ信号および前記現行フレームを出力するために、前記第１の記憶装置、前記第２の記憶装置、および前記タイミング・コントローラに接続するマルチプレクサと、
を備える請求項５に記載の表示パネル駆動および走査システム。
【請求項７】
前記第１の期間において、前記オーバードライブ信号計算器が、前記現行フレームの画素および前記先行フレームの画素に従って対応する位置で前記オーバードライブ信号を算出するように、前記第１の記憶装置が前記現行フレームの前記画素を出力し、かつ前記第２の記憶装置が前記現行フレームの前記画素に前記対応する位置で前記先行フレームの前記画素を出力する請求項６に記載の表示パネル駆動および走査システム。
【請求項８】
前記タイミング・コントローラが、前記第１の期間において、前記オーバードライブ信号を出力するように前記マルチプレクサを構成する請求項７に記載の表示パネル駆動および走査システム。
【請求項９】
画像を表示するための液晶表示（ＬＣＤ）パネルの画素を駆動するために前記ＬＣＤパネルにおいて使われる表示パネル駆動および走査方法において、前記ＬＣＤパネルは、列をなして配置される複数の走査線と、前記走査線を横切って列に配置される複数のソース線と、前記走査線と前記ソース線の交差点に各々配置される複数の画素とを備えている表示パネル駆動および走査方法であって、
（Ａ）タイミング・コントローラが、フレーム期間を第１の期間、第２の期間、および時間間隔に分けるステップと、
（Ｂ）画像処理装置が、先行フレームおよび現行フレームに基づいて前記現行フレームのためのオーバードライブ信号を算出し、かつ前記画像処理装置は前記第１の期間において前記オーバードライブ信号を出力するステップと、
（Ｃ）前記画像処理装置は前記現行フレームを出力し、かつソース・ドライバーが前記第２の期間において前記現行フレームに基づいて前記複数の画素を充電するステップと、
（Ｄ）前記タイミング・コントローラは、前記ＬＣＤパネルのバックライト源をオンにして、前記時間間隔において前記現行フレームを表示するために、バックライト駆動回路を駆動するステップと、
を含む表示パネル駆動および走査方法。
【請求項１０】
前記対応する位置における前記オーバードライブ信号が前記現行フレームの画素および前記先行フレームの画素に基づいて算出されるように、第１の記憶装置が前記現行フレームの前記画素を出力し、かつ第２の記憶装置が前記第１の期間に前記現行フレームの前記画素に対応する位置で前記先行フレームの前記画素を出力する請求項９に記載の表示パネル駆動および走査方法。
【請求項１１】
前記オーバードライブ信号が、前記第１の期間にマルチプレクサを構成するために、タイミング・コントローラを用いて出力される請求項１０に記載の表示パネル駆動および走査方法。
【請求項１２】
前記時間間隔の期間が次のように表わされる、
Ｔｂ＝ＴＦｒａｍｅ−（Ｔ１＋Ｔ２）
ここで、Ｔｂは前記時間間隔の期間であり、ＴＦｒａｍｅは前記フレーム期間の期間であり、Ｔ１は前記第１の期間であり、かつＴ２は前記第２の期間である請求項１１に記載の表示パネル駆動および走査方法。
【発明の詳細な説明】
【関連出願の相互参照】
【０００１】
本願は２０１２年５月３０日に出願された台湾特許出願第１０１１１９３１８号の利益を主張するものであり、それの内容は参照によって本願明細書に引用したものとする。
【技術分野】
【０００２】
本発明は、表示パネルの技術分野、より詳細には、表示パネル駆動および走査の方法ならびにシステムに関する。
【背景技術】
【０００３】
図１は、典型的表示パネル駆動方法の説明図である。図１に示すように、駆動方式は１フレーム期間に走査信号を順次起動させる。例えば、それは第１の線Ｌ１から最後の線Ｌｎまで順次走査し始める。起動する線ごとに、表示されるデータはデータ・チャンネル（Ｓ１〜Ｓｍ）を通して表示パネルに書き込まれる。この時点で、表示パネルは、入力データを順次表示するために走査シーケンスを追従することができて、その結果、走査が完全に終わるときに、フルフレームは直ちに表示される。
【０００４】
従来技術におけるパネル表示駆動方法は、実際の応用において１つの特別な問題に直面する。すなわち、タンデム走査線間の表示されたデータには１フレーム時差があり、それによって視覚効果上の明滅が容易に生じて、更に不鮮明化効果を生じることがありえる。
【０００５】
液晶表示（ＬＣＤ）パネルと従来の陰極線管（ＣＲＴ）スクリーンと比較すると、ＬＣＤパネルのフレームに対する不鮮明化効果は、ＬＣＤの最大の不利な点のうちの１つである。現在普及している液晶応答時間は８ｍｓ超に達することがありえるが、液晶はいくぶんある程度の不鮮明化を有する。
【先行技術文献】
【特許文献】
【０００６】
【特許文献１】米国特許第６，６９３，６１８号明細書
【特許文献２】米国特許第８，０１３，８２９号明細書
【発明の概要】
【発明が解決しようとする課題】
【０００７】
多くの従来技術における信号反応は、５ｍｓ、４ｍｓ、２ｍｓ、または１ｍｓさえまでに段階的に短縮する。しかしながら、ＬＣＤパネルが高速の運動フレームを表示するときに、不鮮明化現象はまだ現れる。このように、液晶の不鮮明化現象は解決されるべき深刻な問題である。
【０００８】
更に説明すると、不鮮明化現象を引き起こすことがある２つの要因がある。第１の要因は、液晶動作原理からみて、ＬＣＤフレームの各画素点は、照射光の強度を制御するためにねじれネマチック液晶分子を使用するということである。照射光は、常に照明状態にあるバックライト源により出力される。粘性液晶分子が貫通光を完全に遮断することが困難であるので、ＬＣＤパネルは画素信号のためのいわゆる「ホールドタイプ」表示を提示し、バックライト源は常に開いているなどである。すなわち、信号間の各間隔の連続性はより強くて、それによって、人間の目が、視覚残留現象により急速に切り換わるフレームプロセスにおいて「記憶された」先行フレームを敏感に捕えることができて、新しく提示されたフレームに重なるかまたは混ざるか、あるいは不鮮明化現象をよりひどく生じる。
【０００９】
第２の要因は、人間の目の視覚残留現象も不鮮明化現象を引き起こすということである。対象が消えたあとしばらくの間、人間の目の映像が対象の画像のままであるので、ＬＣＤ応答時間が非常に急速な場合であっても、視覚残留現象によって人間の目はフレームの不鮮明化を有することがありえる。
【００１０】
現在の応答時間は最高でも１ｍｓに減少し、それは、グレイ・レベルの間の応答時間を短縮するように表示の駆動電圧を正確に制御することにより行われる。しかしながら、応答時間が限度まで短縮しても、不鮮明化現象または残像はまだ存在する。
【００１１】
したがって、液晶不鮮明化現象に対して典型的ブラック・フレーム挿入技術は現象を排除するために用いられる。ブラック・フレームは、フレーム・スイッチングにおいて、人間の目の特別なイメージング・メカニズムによって生じる縁におけるぼやけ効果を回避して、更に液晶不鮮明化現象を排除するように、２つのフレームの間に周期的に挿入される。人間の目が視覚残留現象を有するので、ブラック・フレーム挿入技術によって２つのフレームの間に挿入されるブラック・フレームは、人間の目の視覚残留時間を取り消して、液晶不鮮明化現象を排除できる。
【００１２】
「液晶表示装置およびそれのための駆動方法」に対してソン（Ｓｏｎ）らに付与された特許文献１は、ブラック・フレーム挿入を開示した。すなわち、それは、画像データおよびブラック・フレームを表示するために各フレームを２つのサブフレームに分けて、このことにより画像表示時間を減らして、ＬＣＤの残像を改良する。しかしながら、この種のブラック・フレーム挿入は、現行フレームおよびブラック・フレームを第１のフレーム表示時間に完全に表示する必要があり、駆動クロックＣＬＫの周波数を増大させる結果となる。このように、ＴＦＴ  ＬＣＤ１０の電力消費は対応して増大して、携帯式電子装置のユーティリティに不利益を与える。加えて、典型的ブラック・フレーム挿入はフレーム・ベースのプロセスであり、かつ第１のフレームおよびブラック・フレームが１：１の比率を有しないときに、不均等なフレームが発生する場合がある。また、ブラック・フレーム挿入が作動するときに、バックライト源は常にオンにされて、多くの電力を消費する結果となる。
【００１３】
「そこに格納されたデータに従ってブラック挿入制御信号を選択するブラック挿入コントローラを有する液晶表示装置およびその駆動方法」に対してチェン（Chen）らに付与された特許文献２は、ブラック挿入コントローラを開示した。この場合、１フレーム期間Ｔ０は、第１のサブフレーム期間Ｔ１および第２のサブフレーム期間Ｔ２に分けられる。図２は、典型的ＬＣＤパネル走査タイミングの説明図である。図２に示すように、液晶は、アドレスに従って第１のサブフレーム期間Ｔ１において通常の画像ユニットまたはブラック画像ユニットを表示するために駆動され、かつ液晶は、第２のサブフレーム期間Ｔ２において通常の画像ユニットをブラック画像ユニットに変換するかまたはブラック画像ユニットを通常の画像ユニットに変換して、このことにより不鮮明化現象を改善するために駆動される。しかしながら、液晶不鮮明化現象が緩和されうるにもかかわらず、それは完全に除去されることができない。加えて、フレーム期間Ｔ０で、バックライト源は常にオンにされる必要があり、それは多くの電力を消費する。
【００１４】
従って、上述した問題を軽減し、および／または取り除くために、改良された表示パネル駆動および走査方法ならびにシステムを提供することが望ましい。
【課題を解決するための手段】
【００１５】
本発明の目的は、ＬＣＤパネルの不鮮明化現象を除去して、画像鮮明度を増大させて、このことにより携帯装置の電力消費を減らして、使用寿命を延ばすことができる、表示パネル駆動および走査方法ならびにシステムを提供することである。
【００１６】
本発明の特徴によれば、表示パネル駆動および走査システムが提供され、それは、画像を表示するためのＬＣＤパネルの画素を駆動するために液晶表示（ＬＣＤ）パネルにおいて使われる。ＬＣＤパネルは、列をなして配置される複数の走査線と、走査線を横切って列に配置される複数のソース線と、走査線とソース線の交差点に各々配置される複数の画素とを備えている。システムは、ＬＣＤパネルに走査駆動信号を供給するために走査線によってＬＣＤパネルに接続している走査ドライバーと、ＬＣＤパネルに画像表示信号を供給するためにソース線によってＬＣＤパネルに接続しているソース・ドライバーと、先行フレームおよび現行フレームに基づいて現行フレームのためのオーバードライブ信号を算出するように、先行フレームを格納して、現行フレームを受信するためにソース・ドライバーに接続している画像処理装置と、走査ドライバー、ソース・ドライバー、および画像処理装置を制御して、ＬＣＤパネルに現行フレームを表示するための対応する信号を生成するために、走査ドライバー、ソース・ドライバー、および画像処理装置に接続しているタイミング・コントローラとを備え、そこにおいて、画像処理装置は、１フレーム期間に複数の画素を充電するためにオーバードライブ信号および現行フレームをそれぞれ出力し、そして画像処理装置が、複数の画素を充電するために第１の期間にオーバードライブ信号を出力し、かつ複数の画素を充電するために第２の期間に現行フレームを出力するように、フレーム期間は第１の期間、第２の期間、および第３の期間に分けられる。
【００１７】
本発明の別の特徴によれば、表示パネル駆動および走査方法が提供され、それは、画像を表示するための液晶表示（ＬＣＤ）パネルの画素を駆動するためにＬＣＤパネルにおいて使われる。ＬＣＤパネルは、列をなして配置される複数の走査線と、走査線を横切って列に配置される複数のソース線と、走査線とソース線の交差点に各々配置される複数の画素とを備えている。方法は、（Ａ）１フレーム期間を第１の期間、第２の期間、および第３の期間に分けるステップと、（Ｂ）第１の期間に、先行フレームおよび現行フレームに基づいて現行フレームのためのオーバードライブ信号を算出して、オーバードライブ信号を出力するステップと、（Ｃ）第２の期間に、現行フレームを出力して、現行フレームに基づいて複数の画素を充電するステップと、（Ｄ）第３の期間に、ＬＣＤパネルのバックライト源をオンにするためにバックライト駆動回路を駆動して、現行フレームを表示するステップとを含む。
【００１８】
本発明の他の目的、利点、および新しい特徴は、添付の図面を参照して以下の詳細な説明からより明らかになる。
【図面の簡単な説明】
【００１９】
【図１】典型的表示パネル駆動原理を例示している説明図である。
【図２】典型的ＬＣＤパネル走査タイミングの説明図である。
【図３】本発明による表示パネル駆動および走査システムのブロック図である。
【図４】本発明による表示パネル駆動および走査システムのタイミング図である。
【図５】本発明による画像処理装置のブロック図である。
【図６】本発明による図５の画像処理装置の動作の説明図である。
【図７】本発明による図５の画像処理装置の別の動作の説明図である。
【図８】本発明による表示パネル駆動および走査方法のフローチャートである。
【発明を実施するための形態】
【００２０】
図３は、本発明による表示パネル駆動および走査システム３００のブロック図である。システム３００は、画像を表示するためにパネル３７０の画素３７３を駆動するために、ＬＣＤパネル３７０において用いられる。ＬＣＤパネル３７０は、複数の走査線３７１、複数のソース線３７２、複数の画素３７３、およびバックライト源３９０を備えている。走査線３７１は列をなして配置されて、ソース線３７２は走査線３７１を横切って列に配置される。画素３７３の各々は、走査線３７１とソース線３７２の交差点に配置される。バックライト源３９０は、パネル３７０のために必要とされる光源を供給する。図３に示すように、システム３００は、走査ドライバー３１０、ソース・ドライバー３２０、画像処理装置３３０、タイミング・コントローラ３４０、バックライト駆動回路３５０、および第１の記憶装置３６０を含む。
【００２１】
走査ドライバー３１０は、走査駆動信号をＬＣＤパネル３７０に供給するために、走査線３７１によってＬＣＤパネル３７０に接続している。
【００２２】
ソース・ドライバー３２０は、画像表示信号をＬＣＤパネル３７０に供給するために、ソース線３７２によってＬＣＤパネル３７０に接続している。
【００２３】
画像処理装置３３０は先行フレームＦＰを保存し、かつ現行フレームＦＣを受信して、先行フレームＦＰおよび現行フレームＦＣに基づいて現行フレームＦＣのためのオーバードライブ信号を算出するために、ソース・ドライバー３２０に接続している。
【００２４】
タイミング・コントローラ３４０は、走査ドライバー３１０、ソース・ドライバー３２０、画像処理装置３３０、およびバックライト駆動回路３５０を制御して、現行フレームＦＣをＬＣＤパネル３７０に表示するために対応する信号を発生するために、走査ドライバー３１０、ソース・ドライバー３２０、画像処理装置３３０、およびバックライト駆動回路３５０に接続している。
【００２５】
バックライト駆動回路３５０は、タイミング・コントローラ３４０およびＬＣＤパネル３７０に接続している。タイミング・コントローラ３４０は、ＬＣＤパネル３７０のバックライト源３９０を駆動するために、バックライト駆動回路３５０を制御する。
【００２６】
１フレーム期間ＴＦｒａｍｅにおいて、画像処理装置３３０は、オーバードライブ信号および現行フレームＦＣをそれぞれ出力して、このことにより画素３７３のコンデンサ（図示せず）を充電する。フレーム期間ＴＦｒａｍｅは、第１の期間Ｔ１、第２の期間Ｔ２、および第３の期間Ｔｂに分けられる。第１の期間Ｔ１において、画像処理装置３３０はオーバードライブ信号を出力して、このことにより画素３７３のコンデンサを充電する。第２の期間Ｔ２において、画像処理装置３３０は現行フレームＦＣを出力して、このことにより画素３７３のコンデンサを充電する。
【００２７】
第３の期間Ｔｂにおいて、タイミング・コントローラ３４０は、バックライトを発生し、かつ更に現行フレームＦＣを表示するために、バックライト駆動回路３５０を制御して、ＬＣＤパネル３７０のバックライト源３９０を駆動する。第１の期間Ｔ１および第２の期間Ｔ２において、タイミング・コントローラ３４０はバックライト駆動回路３５０を駆動して、ＬＣＤパネル３７０のバックライト源３９０をオフにする。第３の期間Ｔｂにおいて、タイミング・コントローラ３４０は、バックライト駆動回路３５０を駆動して、現行フレームＦＣを表示するためにＬＣＤパネル３７０のバックライト源３９０をオンにする。
【００２８】
図４は、本発明によるタイミング図である。図４において、フレーム・パルス信号は１フレーム・サイクルを示し、すなわち、１フレーム期間ＴＦｒａｍｅ（ｍｓ）は２つのフレーム・パルス信号の間にある。加えて、Ｌ１、Ｌ２、．．．、Ｌｎは、ＬＣＤパネル３７０上の走査線を示し、そこにおいて、２４０本の走査線（Ｌ１〜Ｌ２４０）は、３２０（Ｈ）×２４０（Ｖ）画素の解像度を有する場合に表示パネルに含まれる。走査時間は、走査線をＬ１からＬｎまで順次オンにするために定められる。Ｓ１〜Ｓｍはソース線を示し、そこにおいて、３２０本のソース線（Ｓ１〜Ｓ３２０）は３２０（Ｈ）×２４０（Ｖ）画素の解像度を有する表示パネルに含まれる。時間間隔Ｔｂは、走査動作の無い長さを示し、すなわち、Ｔｂ＝ＴＦｒａｍｅ−（Ｔ１＋Ｔ２）であり、そこにおいて、Ｔ１＋Ｔ２は走査動作の長さを示す。例えば、ＬＣＤパネル３７０が３２０（Ｈ）×２４０（Ｖ）の解像度を有し、かつフレーム率が６０Ｈｚである場合、我々は、ＴＦｒａｍｅ＝１６．６７ｍｓ、Ｔ１＝５ｍｓ、Ｔ２＝５ｍｓ、およびＴｂ＝６．６７ｍｓを有する。
【００２９】
第１の記憶装置３６０は、現行フレームＦＣを一時的に格納するために、画像処理装置３３０に接続している。
【００３０】
図５は、本発明による画像処理装置３３０のブロック図である。図５において、画像処理装置３３０は、第２の記憶装置３３１、オーバードライブ信号計算器３３３、およびマルチプレクサ３３５を含む。
【００３１】
第２の記憶装置３３１は、先行フレーム期間に現在存在し、かつその先行フレーム期間の現行フレームまたは前の現行フレームとして定義されるフレームを受信するために、第１の記憶装置３６０に接続し、かつそれを先行フレームＦＰとして一時的に格納する。
【００３２】
オーバードライブ信号計算器３３３は、現行フレームＦＣおよび先行フレームＦＰに基づいて現行フレームＦＣのためのオーバードライブ信号を算出するために、第１の記憶装置３６０および第２の記憶装置３３１に接続している。
【００３３】
マルチプレクサ３３５は、オーバードライブ信号または現行フレームＦＣを出力するために、第１の記憶装置３６０、第２の記憶装置３３１、およびタイミング・コントローラ３４０に接続している。
【００３４】
図６は、本発明による図５の画像処理装置３３０の動作の説明図である。図６に示すように、第１の期間Ｔ１で、第１の記憶装置３６０は現行フレームＦＣの画素（ｘ）を出力し、かつ第２の記憶装置３３１は画素（ｘ）に対応する位置で先行フレームＦＰの画素（△）を出力する。オーバードライブ信号計算器３３３は、現行フレームＦＣの画素（ｘ）および先行フレームＦＰの画素（△）に基づいて対応する位置でオーバードライブ信号を算出する。この場合、タイミング・コントローラ３４０は、オーバードライブ信号を出力するようにマルチプレクサ３３５を構成する。さらに、設計者は、パネルの解像度、オーバードライブ信号計算器３３３の遅延、伝送経路の遅延などを含む要因に基づいて、タイミング・コントローラ３４０に必要な回路を設計して、このことにより同期を達成する。画素（ｘ）は、次のオーバードライブ信号を算出するために先行フレームＦＰの画素用として画素（△）を置換するために、第２の記憶装置３３１に書き込まれる。
【００３５】
オーバードライブ信号は、画素（ｘ）に対応する電圧よりわずかに高い電圧を有する。期間（Ｔ１）直後の第２の期間Ｔ２において、オーバードライブ信号の電圧は画素（ｘ）に対応する電圧に減少する。オーバードライブ信号がわずかに高い電圧を有するので、液晶は反応速度を上げるためにより速い遷移を有することができる。
【００３６】
図７に示すように、第２の期間Ｔ２で、タイミング・コントローラ３４０は、第１の期間Ｔ１に格納される第２の記憶装置３３１の現行フレームＦＣの画素（ｘ）を出力するようにマルチプレクサ３３５を構成する。
【００３７】
第３の期間Ｔｂにおいて、タイミング・コントローラ３４０はバックライト駆動回路３５０を駆動して、現行フレームＦＣを更に表示するためにＬＣＤパネル３７０のバックライト源３９０をオンにする。
【００３８】
タイミング・コントローラ３４０は、第１の記憶装置３６０の現行フレームＦＣを出力して、このことにより画像処理装置３３０をオフにするようにマルチプレクサ３３５を構成できる。
【００３９】
図８は、本発明による表示パネル駆動および走査方法のフローチャートである。図８に示すように、ステップ（Ａ）で、タイミング・コントローラ３４０は、１フレーム期間を第１の期間Ｔ１、第２の期間Ｔ２、および第３の期間Ｔｂに分ける。
【００４０】
ステップ（Ｂ）で、第１の期間Ｔ１において、画像処理装置３３０は、現行フレームＦＣおよび先行フレームＦＰに基づいて現行フレームＦＣのためのオーバードライブ信号を算出して、オーバードライブ信号を出力する。
【００４１】
ステップ（Ｃ）で、第２の期間Ｔ２において、画像処理装置３３０は現行フレームＦＣを出力し、かつソース・ドライバー３２０は現行フレームＦＣに基づいてＬＣＤパネル３７０の画素３７３のコンデンサを充電する。
【００４２】
ステップ（Ｄ）で、第３の期間Ｔｂにおいて、タイミング・コントローラ３４０はバックライト駆動回路３５０を駆動して、現行フレームＦＣを更に表示するためにパネル３７０のバックライト源３９０をオンにする。
【００４３】
上述のように、本発明の表示パネル駆動および走査システムは、１フレーム期間より早く表示パネルを完全に走査するように走査速度を上げて、走査の数を、すなわち２回を超えて増加させることもできる。走査がより早く終了して、走査が作動しない時間間隔Ｔｂが残っているので、表示フレームは速いリフレッシュの直後に表示されることができ、かつしばらく状態を維持して、このことにより人間の目が明滅効果を感知することを回避する。加えて、バックライト源３９０は時間間隔Ｔｂにおいてだけオンにされて、それは従来技術より多くの電力を節約できる。第１の期間Ｔ１において、ソース・ドライバー３２０は、画像処理装置３３０により出力されるオーバードライブ信号に基づいて液晶の応答時間を更に増加させるように、パネル３７０の画素３７３のコンデンサを充電する。第２の期間Ｔ２において、ソース・ドライバー３２０は、画像処理装置３３０により出力される現行フレーム出力に基づいて、バックライト３９０が時間間隔Ｔｂにおいてオンになるときに現行フレームを表示するように、ＬＣＤパネル３７０の画素３７３のコンデンサを充電する。バックライト源３９０が第１の期間Ｔ１および第２の期間Ｔ２において、オンにされないので、ブラック・フレーム挿入の機能がよく機能できることに注意されたい。
【００４４】
本発明がその好ましい実施形態に関して説明されたが、多くの他のありうる変更態様および変更例が、以下に請求されるように本発明の精神および範囲から逸脱することなくなされることができることを理解すべきである。
【符号の説明】
【００４５】
３００    システム
３１０    走査ドライバー
３２０    ソース・ドライバー
３３０    画像処理装置
３３１    第２の記憶装置
３３３    オーバードライブ信号計算器
３３５    マルチプレクサ
３４０    タイミング・コントローラ
３５０    バックライト駆動回路
３６０    第１の記憶装置
３７０    ＬＣＤパネル
３７１    走査線
３７２    ソース線
３７３    画素
３９０    バックライト源
ＣＬＫ    駆動クロック
ＣＲＴ    陰極線管
ＦＣ    現行フレーム
ＦＰ    先行フレーム
Ｌ１〜Ｌｎ    走査線
ＬＣＤ    液晶表示
Ｓ１〜Ｓｍ    データ・チャンネル
Ｔ０    フレーム期間
Ｔ１    第１のサブフレーム期間
Ｔ２    第２のサブフレーム期間
Ｔｂ    第３の期間
ＴＦｒａｍｅ    フレーム期間
ｘ    画素
△    画素
【図１】
2013250553.tif 000003
【図２】
2013250553.tif 000004
【図３】
2013250553.tif 000005
【図４】
2013250553.tif 000006
【図５】
2013250553.tif 000007
【図６】
2013250553.tif 000008
【図７】
2013250553.tif 000009
【図８】
2013250553.tif 000010
【外国語明細書】
2013250553.tif 000011
2013250553.tif 000012
2013250553.tif 000013
2013250553.tif 000014
2013250553.tif 000015
2013250553.tif 000016
2013250553.tif 000017
2013250553.tif 000018
2013250553.tif 000019
2013250553.tif 000020
2013250553.tif 000021
2013250553.tif 000022
2013250553.tif 000023
2013250553.tif 000024
2013250553.tif 000025
2013250553.tif 000026
2013250553.tif 000027
2013250553.tif 000028
2013250553.tif 000029
2013250553.tif 000030
2013250553.tif 000031
2013250553.tif 000032
2013250553.tif 000033
2013250553.tif 000034
2013250553.tif 000035
2013250553.tif 000036
2013250553.tif 000037
2013250553.tif 000038